【手続補正書】
【提出日】平成17年7月5日(2005.7.5)
【手続補正１】
【補正対象書類名】特許請求の範囲
【補正対象項目名】全文
【補正方法】変更
【補正の内容】
【特許請求の範囲】
【請求項１】
検出対象の位置及び／又は運動を検出するための光電装置であって、
・  放射ビームを放射するための複数の送信器（Ａ、Ｂ、Ｃ、Ｄ）と、
・  前記複数の送信器（Ａ〜Ｄ）から放射されかつ検出対象（Ｏ）によって反射された放射ビームを受信する少なくとも１つの受信器（Ｅ、Ｅ１、Ｅ２、Ｅ３、Ｅ４）と、
・  前記複数の送信器（Ａ〜Ｄ）の少なくとも一部−前記検出対象−前記少なくとも１つの受信器（Ｅ、Ｅ１〜Ｅ４）間に形成される互いに異なる複数の放射ビーム経路と、
・  前記異なる複数の放射ビーム経路の前記複数の送信器（Ａ〜Ｄ）をクロック的に切換えるためのタイミング回路と、
・  １つの線に沿って又は１つの面（１２）内で前記検出対象の位置及び／又は運動を検出するために、前記異なる複数の放射ビーム経路のための前記少なくとも１つの受信器（Ｅ、Ｅ１〜Ｅ４）によって受信される複数の信号を複数の値（ｘ、ｙ）に変換する評価ユニット（１１）と
を有するものにおいて、
前記検出対象の位置及び／又は運動を三次元的に検出するために、前記タイミング回路は、前記複数の送信器（Ａ〜Ｄ）の少なくとも一部及び／又は前記少なくとも１つの受信器（Ｅ、Ｅ１〜Ｅ４）を、少なくとも１つの更なるサイクルにおいて切換を行い、該複数の送信器（Ａ〜Ｄ）及び／又は前記少なくとも１つの受信器（Ｅ、Ｅ１〜Ｅ４）によって放射ビームが送り込まれる空間が、ほぼ完全に一様に隈なく放射され、かつ前記評価ユニット（１１）が、該更なるサイクル中に前記検出対象によって反射された放射ビームに基づいて、前記線又は前記面（１２）から該検出対象までの距離（ｄ）を求めるための少なくとも１つの値を求めること
を特徴とする光電装置。
【請求項２】
検出対象の位置及び／又は運動を検出するための光電装置であって、
・  検出対象（Ｏ）に配された、放射ビームを放射するための複数の送信器（Ａ、Ｂ、Ｃ、Ｄ）と、
・  前記複数の送信器によって放射された放射ビームを受信する少なくとも１つの受信器（Ｅ、Ｅ１、Ｅ２、Ｅ３、Ｅ４）と、
・  前記複数の送信器の少なくとも一部−前記少なくとも１つの受信器（Ｅ、Ｅ１−Ｅ４）間に形成される互いに異なる複数の放射ビーム経路と、
・  前記異なる複数の放射ビーム経路の前記複数の送信器（Ａ〜Ｄ）をクロック的に切換えるためのタイミング回路と、
・  １つの線に沿って又は１つの面（１２）内で前記検出対象の位置及び／又は運動を検出するために、前記異なる複数の放射ビーム経路のための前記少なくとも１つの受信器（Ｅ、Ｅ１〜Ｅ４）によって受信される複数の信号を複数の値（ｘ、ｙ）に変換する評価ユニット（１１）と
を有するものにおいて、
前記検出対象の位置及び／又は運動を三次元的に検出するために、前記タイミング回路は、前記複数の送信器（Ａ〜Ｄ）の少なくとも一部及び／又は前記少なくとも１つの受信器（Ｅ、Ｅ１〜Ｅ４）を、少なくとも１つの更なるサイクルにおいて切換を行い、該複数の送信器（Ａ〜Ｄ）及び／又は前記少なくとも１つの受信器（Ｅ、Ｅ１〜Ｅ４）によって放射ビームが送り込まれる空間が、ほぼ完全に一様に隈なく放射され、かつ前記評価ユニット（１１）が、該更なるサイクル中に前記複数の送信器から放射された放射ビームに基づいて、前記線又は前記面（１２）から該検出対象までの距離（ｄ）を求めるための少なくとも１つの値を求めること
を特徴とする光電装置。
【請求項３】
前記複数の送信器（Ａ〜Ｄ）及び前記少なくとも１つの受信器（Ｅ、Ｅ１〜Ｅ４）は、１つの平面に配され及び／又は前記面（１２）を構成する操作面の下方に配され、及び前記更なるサイクルにおいて、前記操作面を挟んで反対側の前記空間に向かって放射ビームを送り込むこと
を特徴とする請求項１又は２に記載の装置。
【請求項４】
少なくとも４つの送信器（Ａ〜Ｄ）が十字状に配置され、二次元的な検出を行うために、十字状配置に関して交互にクロック制御されて作動されること
を特徴とする請求項１〜３の何れか一項に記載の装置。
【請求項５】
１つの更なる光源（２０）が、少なくとも１つの受信器（Ｅ、Ｅ１〜Ｅ４）の近くに、該更なる光源（２０）の光が該受信器（Ｅ、Ｅ１〜Ｅ４）に入射するよう、送信器として配設されること
を特徴とする請求項１〜４の何れか一項に記載の装置。
【請求項６】
放射ビーム経路として構成された光ビーム経路が交互に制御されること、及び
前記評価ユニット（１１）は、前記受信器（Ｅ、Ｅ１〜Ｅ４）に、周期的に変動する光成分を含まない一定の光成分が存在するよう、前記送信器の出力を出力制御手段によって制御すること
を特徴とする請求項１〜５の何れか一項に記載の装置。
【請求項７】
位置を評価するために、制御電圧が、前記送信器（Ａ〜Ｄ）にそれぞれ配属された制御要素（Ｒ１、Ｒ２）において測定され、かつ前記値を求めるための比較器（ＶIII）へ供給されること
を特徴とする請求項１〜６の何れか一項に記載の装置。
【請求項８】
前記面（１２）に触接したとき運動パターンを検出する検出手段（１４）を有すること、及び
記憶ユニットが、反射された放射ビームに関するその際求められた値を参照値（Ｒｅｆ３Ｄ）として記憶すること
を特徴とする請求項１〜７の何れか一項に記載の装置。
【請求項９】
反射された放射ビームに関する前記記憶された値又は該記憶された値からの導出値と、実際の値との間で比較を行うことによって、前記面（１２）から前記検出対象（Ｏ）までの距離（ｄ）を求める比較手段（１５）を有し、該導出値は、前記検出対象（Ｏ）が前記面（１２）に接触する直前に生じた値であること
を特徴とする請求項８に記載の装置。
【請求項１０】
前記検出対象（Ｏ）の接近を検出し、及び基本サイクルを変化させて、位置検出が有効となるよう切換えを行うこと
を特徴とする請求項１〜９の何れか一項に記載の装置。
【請求項１１】
前記記憶ユニット（１３）は、前記求められた参照値（Ｒｅｆ３Ｄ）を記憶し、及び前記実際値が予設定値（ＳＷ２）又は該参照値からの導出値を下回ったことを比較器（１６）が確認したとき、再び消去すること
を特徴とする請求項８〜１０の何れか一項に記載の装置。
【請求項１２】
前記複数の送信器（Ａ〜Ｄ）は、前記面（１２）の複数の角部分にそれぞれ配され、及び前記少なくとも１つの受信器（Ｅ１〜Ｅ４）は、該送信器間に配されること
を特徴とする請求項１〜１１に記載の装置。
【請求項１３】
前記送信器（Ａ〜Ｄ）は、前記面（１２）の隣り合う角部分に配された２つ毎に、それら送信器の間に配された前記受信器（Ｅ１〜Ｅ４）と共に、１つの測定ユニットを構成すること、及び
ｘ方向又はｙ方向においてそれぞれ値を求めるために互いに向かい合って配された送信器−受信器（Ａ−Ｅ３−Ｃ、Ｂ−Ｅ４−Ｄ；Ａ−Ｅ４−Ｂ、Ｃ−Ｅ２−Ｄ）は、交互に、作動されること
を特徴とする請求項１２に記載の装置。
【請求項１４】
前記面（１２）において前記検出対象（Ｏ）の位置のｘ値又はｙ値を求めるために、該面に関し互いに向かい合って配された２つの受信器が設けられ、該２つの受信器は、該位置を求めるために平均される測定値を交互に供給すること
を特徴とする請求項１〜１３の何れか一項に記載の装置。
【請求項１５】
前記面（１２）に、前記送信器の放射ビームに対し、一義的に割り当て可能な認識領域（１８）が形成されること、及び
前記検出手段は、前記検出対象（Ｏ）の前記認識領域（１８）への接近の際に該検出対象（Ｏ）を検出し、及び認識領域に応じて、該認識領域（１８）に対して特徴付けられた光学的又は音響的基本機能が再現され、及び更に触接が行われた場合、更なる機能が実行されること
を特徴とする請求項１〜１４の何れか一項に記載の装置。
【請求項１６】
複数の発光ダイオード（Ａ〜Ｅ）は、前記面ないしタッチブロックを同時に照明し、及び少なくとも一時的に受信器及び／又は補償要素として作動すること
を特徴とする請求項１〜１５の何れか一項に記載の装置。
【請求項１７】
前記検出対象（Ｏ）は、利用者の身体の一部であること、及び
前記面（１２）は、被操作要素（３０）を操作するために、前記身体の一部が摺動されないが、その先端が小旋回可能な程度に小さく構成されること
を特徴とする請求項１〜１６の何れか一項に記載の装置。
【請求項１８】
前記複数の送信器（Ａ、Ｂ）及び前記受信器（Ｅ）は、前記面（１２）の上方に配置されるか、又は前記面（１２）の上方で導光要素を介して光を送光又は受光すること、及び
該複数の送信器（Ａ、Ｂ）と該受信器（Ｅ）と前記検出対象（Ｏ）とを分離する媒体は、空気又は光を透過可能な他の媒体であること
を特徴とする請求項１〜１７の何れか一項に記載の装置。
【請求項１９】
・  複数の送信器（Ａ、Ｂ、Ｃ、Ｄ）によって放射ビームを放射し、該複数の送信器（Ａ〜Ｄ）から放射されかつ検出対象（Ｏ）によって反射された放射ビームを少なくとも１つの受信器（Ｅ、Ｅ１、Ｅ２、Ｅ３、Ｅ４）によって受信する工程と、
・  前記複数の送信器（Ａ〜Ｄ）の少なくとも一部−前記検出対象−前記少なくとも１つの受信器（Ｅ、Ｅ１〜Ｅ４）間に、互いに異なる複数の放射ビーム経路を形成する工程と、
・  前記異なる複数の放射ビーム経路の前記複数の送信器（Ａ〜Ｄ）をクロック的に切換える工程と、
・  前記検出対象の位置及び／又は運動を１つの線に沿って又は１つの面（１２）内で検出するために、前記異なる複数の放射ビーム経路のための前記少なくとも１つの受信器（Ｅ、Ｅ１〜Ｅ４）によって受信される信号を評価し、複数の値（ｘ、ｙ）に変換する工程と
を含む、検出対象（Ｏ）の位置及び／又は運動を光電的に検出するための方法において、
前記検出対象（Ｏ）の位置及び／又は運動を三次元的に検出するために、前記複数の送信器（Ａ〜Ｄ）及び／又は前記少なくとも１つの受信器（Ｅ、Ｅ１〜Ｅ４）によって放射ビームが送り込まれる空間が、ほぼ完全に一様に隈なく放射され、かつ更なるサイクル中に前記検出対象によって反射される放射ビームに基づいて、前記線又は前記面（１２）から該検出対象までの距離（ｄ）を求めるための少なくとも１つの値を求めるように、少なくとも１つの更なるサイクルにおいて、前記複数の送信器（Ａ〜Ｄ）の少なくとも一部及び／又は前記少なくとも１つの受信器（Ｅ、Ｅ１〜Ｅ４）がクロック的に切換えられること
を特徴とする方法。
【請求項２０】
・  検出対象に配された複数の送信器（Ａ、Ｂ、Ｃ、Ｄ）によって放射ビームを放射し、前記複数の送信器によって放射された放射ビームを少なくとも１つの受信器（Ｅ、Ｅ１、Ｅ２、Ｅ３、Ｅ４）によって受信する工程と、
・  前記複数の送信器の少なくとも一部−前記少なくとも１つの受信器間に互いに異なる複数の放射ビーム経路を形成する工程と、
・  前記異なる複数の放射ビーム経路の前記複数の送信器（Ａ〜Ｄ）をクロック的に切換える工程と、
・  前記検出対象の位置及び／又は運動を１つの線に沿って又は１つの面（１２）内で検出するために、前記異なる複数の放射ビーム経路のための前記少なくとも１つの受信器（Ｅ、Ｅ１〜Ｅ４）によって受信される信号を評価し、複数の値（ｘ、ｙ）に変換する工程と
を含む、検出対象（Ｏ）の位置及び／又は運動を光電的に検出するための方法において、
前記検出対象（Ｏ）の位置及び／又は運動を三次元的に検出するために、前記複数の送信器（Ａ〜Ｄ）及び／又は前記少なくとも１つの受信器（Ｅ、Ｅ１〜Ｅ４）によって放射ビームが送り込まれる空間が、ほぼ完全に一様に隈なく放射され、かつ更なるサイクル中に前記複数の送信器から放射された放射ビームに基づいて、前記線又は前記面（１２）から該検出対象までの距離（ｄ）を求めるための少なくとも１つの値が求められるように、少なくとも１つの更なるサイクルにおいて、前記複数の送信器（Ａ〜Ｄ）の少なくとも一部及び／又は前記少なくとも１つの受信器（Ｅ、Ｅ１〜Ｅ４）がクロック的に切換えられること
を特徴とする方法。
【請求項２１】
前記面（１２）を構成する操作面の下方に配される送信器及び／又は受信器は、１つの更なるサイクルにおいて、該操作面を挟んで反対側の前記空間に向かって放射ビームを送り込むこと
を特徴とする請求項１９又は２０に記載の方法。
【請求項２２】
十字状に配置された少なくとも４つの送信器（Ａ〜Ｄ）が、二次元的な検出を行うために、十字状配置に関して交互にクロック制御されて作動されること
を特徴とする請求項１９〜２１の何れか一項に記載の方法。
【請求項２３】
前記更なるサイクルにおいて、１つの更なる光源（２０）が、送信器として、少なくとも１つの受信器（Ｅ、Ｅ１〜Ｅ４）の近くにおいて、補償を行うために光を該受信器（Ｅ、Ｅ１〜Ｅ４）に入射すること
を特徴とする請求項１９〜２２の何れか一項に記載の方法。
【請求項２４】
放射ビーム経路として構成された光ビーム経路が交互に制御されること、及び
前記受信器（Ｅ、Ｅ１〜Ｅ４）に、周期的に変動する光成分を含まない一定の光成分が存在するよう、前記送信器の出力が、評価ユニット（１１）の出力制御手段（３６）によって制御されること
を特徴とする請求項１９〜２３の何れか一項に記載の方法。
【請求項２５】
位置を評価するために、制御電圧が、前記送信器（Ａ〜Ｄ）にそれぞれ配属された制御要素（Ｒ１、Ｒ２）において測定され、かつ前記値を求めるための比較器（ＶIII）へ供給されること
を特徴とする請求項１９〜２４の何れか一項に記載の方法。
【請求項２６】
検出手段（１４）が、前記面（１２）に触接したときの運動パターンを検出すること、及び
記憶ユニットが、反射された放射ビームに関するその際求められた値を参照値（Ｒｅｆ３Ｄ）として記憶すること
を特徴とする請求項１９〜２５の何れか一項に記載の方法。
【請求項２７】
比較手段（１５）が、反射された放射ビームに関する前記記憶された値又は該記憶された値からの導出値と、実際の値との間で比較を行うことによって、前記面（１２）から前記検出対象（Ｏ）までの距離（ｄ）を求めるとともに、前記検出対象（Ｏ）が前記面（１２）に接触する直前に生じた値が、導出値として使用されること
を特徴とする請求項２６に記載の方法。
【請求項２８】
前記検出対象（Ｏ）の接近が検出され、及び基本サイクルが変化されて、位置検出が有効となるよう切換えられること
を特徴とする請求項１９〜２７の何れか一項に記載の方法。
【請求項２９】
前記記憶ユニット（１３）は、前記求められた参照値（Ｒｅｆ３Ｄ）を記憶し、及び前記実際値が予設定値（ＳＷ２）又は該参照値からの導出値を下回ったことを比較器（１６）が確認したとき、再び消去すること
を特徴とする請求項２６〜２８の何れか一項に記載の方法。
【請求項３０】
前記送信器（Ａ〜Ｄ）は、前記面（１２）の隣り合う角部分に配された２つ毎に、それら送信器の間に配された前記受信器（Ｅ１〜Ｅ４）と共に、１つの測定ユニットを構成すること、及び
ｘ方向又はｙ方向においてそれぞれ値を求めるために互いに向かい合って配された送信器−受信器（Ａ−Ｅ３−Ｃ、Ｂ−Ｅ４−Ｄ；Ａ−Ｅ１−Ｂ、Ｃ−Ｅ２−Ｄ）は、交互に、作動されること
を特徴とする請求項１９〜２９の何れか一項に記載の方法。
【請求項３１】
前記面（１２）において前記検出対象（Ｏ）の位置のｘ値又はｙ値を求めるために、該面に関し互いに向かい合って配された２つの受信器が、該位置を求めるために平均される測定値を交互に供給すること
を特徴とする請求項１９〜３０の何れか一項に記載の方法。
【請求項３２】
前記面（１２）に、一義的に割り当て可能な複数の認識領域（１８）が形成されること、及び前記検出手段（１４）は、前記検出対象（Ｏ）の接近の際に該検出対象を検出し、認識領域に応じて、前記認識領域（１８）に対して特徴付けられた光学的又は音響的基本機能が再現され、及び更に触接が行われた場合、更なる機能が実行されること
を特徴とする請求項１９〜３１の何れか一項に記載の方法。
【請求項３３】
前記検出対象（Ｏ）は、利用者の身体の一部であること、及び
前記面（１２）は、被操作要素（３０）を操作するために、前記身体の一部が摺動されないが、その先端が小旋回可能な程度に小さく構成されること
を特徴とする請求項１９〜３２の何れか一項に記載の方法。
【手続補正２】
【補正対象書類名】明細書
【補正対象項目名】０００９
【補正方法】変更
【補正の内容】
【０００９】
上記の課題を解決するために、本発明の第１の視点により、検出対象の位置及び／又は運動を検出するための光電装置であって、・放射ビームを放射するための複数の送信器と、・前記複数の送信器から放射されかつ検出対象によって反射された放射ビームを受信する少なくとも１つの受信器と、・前記複数の送信器の少なくとも一部−前記検出対象−前記少なくとも１つの受信器間に形成される互いに異なる複数の放射ビーム経路と、・前記異なる複数の放射ビーム経路の前記複数の送信器をクロック的に切換えるためのタイミング回路と、・１つの線に沿って又は１つの面内で前記検出対象の位置及び／又は運動を検出するために、前記異なる複数の放射ビーム経路のための前記少なくとも１つの受信器によって受信される複数の信号を複数の値に変換する評価ユニットとを有する光電装置が提供される。この光電装置において、前記検出対象の位置及び／又は運動を三次元的に検出するために、前記タイミング回路は、前記複数の送信器の少なくとも一部及び／又は前記少なくとも１つの受信器を、少なくとも１つの更なるサイクルにおいて切換を行い、該複数の送信器及び／又は前記少なくとも１つの受信器によって放射ビームが送り込まれる空間が、ほぼ完全に一様に隈なく放射され、かつ前記評価ユニットが、該更なるサイクル中に前記検出対象によって反射された放射ビームに基づいて、前記線又は前記面から該検出対象までの距離を求めるための少なくとも１つの値を求めることを特徴とする（形態１・基本構成１）。
更に、上記の課題を解決するために、本発明の第２の視点により、検出対象の位置及び／又は運動を検出するための光電装置であって、・検出対象に配された、放射ビームを放射するための複数の送信器と、・前記複数の送信器によって放射された放射ビームを受信する少なくとも１つの受信器と、・前記複数の送信器の少なくとも一部−前記少なくとも１つの受信器間に形成される互いに異なる複数の放射ビーム経路と、・前記異なる複数の放射ビーム経路の前記複数の送信器をクロック的に切換えるためのタイミング回路と、・１つの線に沿って又は１つの面内で前記検出対象の位置及び／又は運動を検出するために、前記異なる複数の放射ビーム経路のための前記少なくとも１つの受信器によって受信される複数の信号を複数の値に変換する評価ユニットとを有する光電装置が提供される。この光電装置において、前記検出対象の位置及び／又は運動を三次元的に検出するために、前記タイミング回路は、前記複数の送信器の少なくとも一部及び／又は前記少なくとも１つの受信器を、少なくとも１つの更なるサイクルにおいて切換を行い、該複数の送信器及び／又は前記少なくとも１つの受信器によって放射ビームが送り込まれる空間が、ほぼ完全に一様に隈なく放射され、かつ前記評価ユニットが、該更なるサイクル中に前記複数の送信器から放射された放射ビームに基づいて、前記線又は前記面から該検出対象までの距離を求めるための少なくとも１つの値を求めることを特徴とする（形態２・基本構成２）。
更に、上記の課題を解決するために、本発明の第３の視点により、・複数の送信器によって放射ビームを放射し、該複数の送信器から放射されかつ検出対象によって反射された放射ビームを少なくとも１つの受信器によって受信する工程と、・前記複数の送信器の少なくとも一部−前記検出対象−前記少なくとも１つの受信器間に、互いに異なる複数の放射ビーム経路を形成する工程と、・前記異なる複数の放射ビーム経路の前記複数の送信器をクロック的に切換える工程と、・前記検出対象の位置及び／又は運動を１つの線に沿って又は１つの面内で検出するために、前記異なる複数の放射ビーム経路のための前記少なくとも１つの受信器によって受信される信号を評価し、複数の値に変換する工程とを含む、検出対象の位置及び／又は運動を光電的に検出するための方法が提供される。この方法において、前記検出対象の位置及び／又は運動を三次元的に検出するために、前記複数の送信器及び／又は前記少なくとも１つの受信器によって放射ビームが送り込まれる空間が、ほぼ完全に一様に隈なく放射され、かつ更なるサイクル中に前記検出対象によって反射される放射ビームに基づいて、前記線又は前記面から該検出対象までの距離を求めるための少なくとも１つの値を求めるように、少なくとも１つの更なるサイクルにおいて、前記複数の送信器の少なくとも一部及び／又は前記少なくとも１つの受信器がクロック的に切換えられることを特徴とする（形態１９・基本構成３）。
更に、上記の課題を解決するために、本発明の第４の視点により、・検出対象に配された複数の送信器によって放射ビームを放射し、前記複数の送信器によって放射された放射ビームを少なくとも１つの受信器によって受信する工程と、・前記複数の送信器の少なくとも一部−前記少なくとも１つの受信器間に互いに異なる複数の放射ビーム経路を形成する工程と、・前記異なる複数の放射ビーム経路の前記複数の送信器をクロック的に切換える工程と、・前記検出対象の位置及び／又は運動を１つの線に沿って又は１つの面内で検出するために、前記異なる複数の放射ビーム経路のための前記少なくとも１つの受信器によって受信される信号を評価し、複数の値に変換する工程とを含む、検出対象の位置及び／又は運動を光電的に検出するための方法が提供される。この方法において、前記検出対象の位置及び／又は運動を三次元的に検出するために、前記複数の送信器及び／又は前記少なくとも１つの受信器によって放射ビームが送り込まれる空間が、ほぼ完全に一様に隈なく放射され、かつ更なるサイクル中に前記複数の送信器から放射された放射ビームに基づいて、前記線又は前記面から該検出対象までの距離を求めるための少なくとも１つの値が求められるように、少なくとも１つの更なるサイクルにおいて、前記複数の送信器の少なくとも一部及び／又は前記少なくとも１つの受信器がクロック的に切換えられることを特徴とする（形態２０・基本構成４）。
【手続補正３】
【補正対象書類名】明細書
【補正対象項目名】００１４
【補正方法】変更
【補正の内容】
【００１４】
本発明の更なる利点は、従属請求項の対象である。即ち、
（形態１）  上掲。
（形態２）  上掲。
（形態３）  上記形態１又は２の装置において、前記複数の送信器及び前記少なくとも１つの受信器は、１つの平面に配され及び／又は前記面を構成する操作面の下方に配され、及び前記更なるサイクルにおいて、前記操作面を挟んで反対側の前記空間に向かって放射ビームを送り込むことが好ましい。
（形態４）  上記形態１〜３の装置において、少なくとも４つの送信器が十字状に配置され、二次元的な検出を行うために、十字状配置に関して交互にクロック制御されて作動されることが好ましい。
（形態５）  上記形態１〜４の装置において、１つの更なる光源が、少なくとも１つの受信器の近くに、該更なる光源の光が該受信器に実質的に入射するよう、送信器として配設されることが好ましい。
（形態６）  上記形態１〜５の装置において、放射ビーム経路として構成された光ビーム経路が交互に制御されること、及び前記評価ユニットは、前記受信器に、周期的に変動する光成分を含まない一定の光成分が存在するよう、前記送信器の出力を出力制御手段によって好ましくは遅延なく制御することが好ましい。
（形態７）  上記形態１〜６の装置において、位置を評価するために、制御電圧が、前記送信器にそれぞれ配属された制御要素において測定され、かつ前記値を求めるための比較器へ供給されることが好ましい。
（形態８）  上記形態１〜７の装置において、前記面に触接したとき運動パターンを検出する検出手段を有すること、及び記憶ユニットが、反射された放射ビームに関するその際求められた値を参照値として記憶することが好ましい。
（形態９）  上記形態８の装置において、反射された放射ビームに関する前記記憶された値又は該記憶された値からの導出値と、実際の値との間で比較を行うことによって、前記面から前記検出対象までの距離を求める比較手段を有し、該導出値は、前記検出対象が前記面に接触する直前に生じた値であることが好ましい。
（形態１０）  上記形態１〜９の装置において、前記検出対象の接近を検出し、及び基本サイクルを変化させて、位置検出が有効となるよう切換えを行うことが好ましい。
（形態１１）  上記形態８〜１０の装置において、前記記憶ユニットは、前記求められた参照値を記憶し、及び前記実際値が予設定値又は該参照値からの導出値を下回ったことを比較器が確認したとき、再び消去することが好ましい。
（形態１２）  上記形態１〜１１の装置において、前記複数の送信器は、前記面の複数の角部分にそれぞれ配され、及び前記少なくとも１つの受信器は、該送信器間に配されることが好ましい。
（形態１３）  上記形態１２の装置において、前記送信器は、前記面の隣り合う角部分に配された２つ毎に、それら送信器の間に配された前記受信器と共に、１つの測定ユニットを構成すること、及びｘ方向又はｙ方向においてそれぞれ値を求めるために互いに向かい合って配された送信器−受信器は、交互に、作動されることが好ましい。
（形態１４）  上記形態１〜１３の装置において、前記面において前記検出対象の位置のｘ値又はｙ値を求めるために、該面に関し互いに向かい合って配された２つの受信器が設けられ、該２つの受信器は、該位置を求めるために平均される測定値を交互に供給することが好ましい。
（形態１５）  上記形態１〜１４の装置において、前記面に、前記送信器の放射ビームに対し、一義的に割り当て可能な認識領域が形成されること、及び前記検出手段は、前記検出対象の前記認識領域への接近の際に該検出対象を検出し、及び認識領域に応じて、該認識領域に対して特徴付けられた光学的又は音響的基本機能が再現され、及び更に触接が行われた場合、更なる機能が実行されることが好ましい。
（形態１６）  上記形態１〜１５の装置において、複数の発光ダイオードは、前記面ないしタッチブロックを同時に照明し、及び少なくとも一時的に受信器及び／又は補償要素として作動することが好ましい。
（形態１７）  上記形態１〜１６の装置において、前記検出対象は、好ましくは利用者の指等の身体の一部であること、及び前記面は、被操作要素を操作するために、前記指等の身体の一部が実質的には摺動されないが、その先端が小旋回可能な程度に小さく構成されることが好ましい。
（形態１８）  上記形態１〜１７の装置において、前記複数の送信器及び前記受信器は、前記面の上方に配置されるか、又は前記面の上方で導光要素を介して光を送光又は受光すること、及び該複数の送信器と該受信器と前記検出対象とを分離する媒体は、空気又は光を透過可能な他の媒体であることが好ましい。
（形態１９）  上掲。
（形態２０）  上掲。
（形態２１）  上記形態１９又は２０の方法において、前記面を構成する操作面の下方に配される送信器及び／又は受信器は、１つの更なるサイクルにおいて、該操作面を挟んで反対側の前記空間に向かって放射ビームを送り込むことが好ましい。
（形態２２）  上記形態１９〜２１の方法において、十字状に配置された少なくとも４つの送信器が、二次元的な検出を行うために、十字状配置に関して交互にクロック制御されて作動されることが好ましい。
（形態２３）  上記形態１９〜２２の方法において、前記更なるサイクルにおいて、１つの更なる光源が、送信器として、少なくとも１つの受信器の近くにおいて、補償を行うために光を該受信器に実質的に入射することが好ましい。
（形態２４）  上記形態１９〜２３の方法において、放射ビーム経路として構成された光ビーム経路が交互に制御されること、及び前記受信器に、周期的に変動する光成分を含まない一定の光成分が存在するよう、前記送信器の出力が、評価ユニットの出力制御手段によって好ましくは遅延なく制御されることが好ましい。
（形態２５）  上記形態１９〜２４の方法において、位置を評価するために、制御電圧が、前記送信器にそれぞれ配属された制御要素において測定され、かつ前記値を求めるための比較器へ供給されることが好ましい。
（形態２６）  上記形態１９〜２５の方法において、検出手段が、前記面に触接したときの運動パターンを検出すること、及び記憶ユニットが、反射された放射ビームに関するその際求められた値を参照値として記憶することが好ましい。
（形態２７）  上記形態２６の方法において、比較手段が、反射された放射ビームに関する前記記憶された値又は該記憶された値からの導出値と、実際の値との間で比較を行うことによって、前記面から前記検出対象までの距離を求めるとともに、前記検出対象が前記面に接触する直前に生じた値が、導出値として使用されることが好ましい。
（形態２８）  上記形態１９〜２７の方法において、前記検出対象の接近が検出され、及び基本サイクルが変化されて、位置検出が有効となるよう切換えられることが好ましい。
（形態２９）  上記形態２６〜２８の方法において、前記記憶ユニットは、前記求められた参照値を記憶し、及び前記実際値が予設定値又は該参照値からの導出値を下回ったことを比較器が確認したとき、再び消去することが好ましい。
（形態３０）  上記形態１９〜２９の方法において、前記送信器は、前記面の隣り合う角部分に配された２つ毎に、それら送信器の間に配された前記受信器と共に、１つの測定ユニットを構成すること、及びｘ方向又はｙ方向においてそれぞれ値を求めるために互いに向かい合って配された送信器−受信器は、交互に、作動されることが好ましい。
（形態３１）  上記形態１９〜３０の方法において、前記面において前記検出対象の位置のｘ値又はｙ値を求めるために、該面に関し互いに向かい合って配された２つの受信器が、該位置を求めるために平均される測定値を交互に供給することが好ましい。
（形態３２）  上記形態１９〜３１の方法において、前記面に、一義的に割り当て可能な複数の認識領域が形成されること、及び前記検出手段は、前記検出対象の接近の際に該検出対象を検出し、認識領域に応じて、前記認識領域に対して特徴付けられた光学的又は音響的基本機能が再現され、及び更に触接が行われた場合、更なる機能が実行されることが好ましい。
（形態３３）  上記形態１９〜３２の方法において、前記検出対象は、好ましくは利用者の指等の身体の一部であること、及び前記面は、被操作要素を操作するために、前記指等の身体の一部が摺動されないが、その先端が小旋回可能な程度に小さく構成されることが好ましい。